(57)【要約】      （修正有）【課題】総重量が大幅に軽減された跳ね上げベッドを提供する。【解決手段】下面側に床板１１が固定されたマットレス２０と、前記床板が固定された前記マットレスを支持可能な一対の側方壁１２と、前記床板の下面の左側領域及び右側領域と前記一対の側方壁との間をそれぞれ接続する一対の伸縮部材１３と、前記床板の下面の左側領域及び右側領域と前記一対の側方壁との間にそれぞれ設けられ、前記一対の伸縮部材の伸縮動作と協働して前記床板の跳ね上げ動作及び戻し動作を支援する一対のリンクアーム機構と、を備えた。【選択図】図３
2017099702.tif 000002
【特許請求の範囲】
【請求項１】
下面側に床板が固定されたマットレスと、
前記床板が固定された前記マットレスを支持可能な一対の側方壁と、
前記床板の下面の左側領域及び右側領域と前記一対の側方壁との間をそれぞれ接続する一対の伸縮部材と、
前記床板の下面の左側領域及び右側領域と前記一対の側方壁との間にそれぞれ設けられ、前記一対の伸縮部材の伸縮動作と協働して前記床板の跳ね上げ動作及び戻し動作を支援する一対のリンクアーム機構と、
を備えたことを特徴とする跳ね上げベッド。
【請求項２】
下面側に床板が固定されたマットレスと、
前記床板が固定された前記マットレスを支持可能な一対の側方壁と、
前記一対の側方壁の前方側に配置された前方壁と、
前記一対の側方壁の後方側に配置された後方壁と、
前記床板の下面の前側領域及び後側領域と前記前方壁及び前記後方壁との間をそれぞれ接続する一対の伸縮部材と、
前記床板の下面の前側領域及び後側領域と前記前方壁及び前記後方壁との間にそれぞれ設けられ、前記一対の伸縮部材の伸縮動作と協働して前記床板の跳ね上げ動作及び戻し動作を支援する一対のリンクアーム機構と、
を備えたことを特徴とする跳ね上げベッド。
【請求項３】
前記床板は、前記マットレスの下面側に接着剤によって固定されている
ことを特徴とする請求項１または２に記載の跳ね上げベッド。
【請求項４】
前記床板は、前記マットレスの下面側にネジ部材によって固定されている
ことを特徴とする請求項１乃至３のいずれかに記載の跳ね上げベッド。
【請求項５】
前記床板は、前記マットレスの下面側にＵ字タッカーによって固定されている
ことを特徴とする請求項１乃至４のいずれかに記載の跳ね上げベッド。
【請求項６】
前記床板は、格子状に組み付けられた板材で構成されている
ことを特徴とする請求項1乃至５のいずれかに記載の跳ね上げベッド。
【請求項７】
前記床板は、格子状に組み付けられた板材を有している
ことを特徴とする請求項1乃至５のいずれかに記載の跳ね上げベッド。
【請求項８】
前記床板を含む前記マットレスの重量は、３０ｋｇ未満である
ことを特徴とする請求項1乃至７のいずれかに記載の跳ね上げベッド。
【請求項９】
前記側方壁の上面の前方側領域に、ベッドメイク用の切欠が設けられている
ことを特徴とする請求項1乃至８のいずれかに記載の跳ね上げベッド。
【請求項１０】
前記ベッドメイク用の切欠は、前記側方壁の上面からの高さが１０ｍｍ〜４０ｍｍであり、前記側方壁の前方側端縁からの長さが１０ｍｍ〜８０ｍｍである
ことを特徴とする請求項９に記載の跳ね上げベッド。
【請求項１１】
前記側方壁の前方側には、ヘッドボードが隣接して配置されており、
前記ヘッドボードと前記マットレスとの間には、５ｍｍ〜３０ｍｍのベッドメイク用隙間が設けられている
ことを特徴とする請求項９または１０に記載の跳ね上げベッド。
【発明の詳細な説明】
【技術分野】
【０００１】
本発明は、総重量が大幅に軽減された跳ね上げベッドに関する。
【背景技術】
【０００２】
跳ね上げベッドは、マットレスの下方空間を収納場所として効率良く利用することができるため、従来より人気のある製品である。
【０００３】
図８は、従来の跳ね上げベッドの通常時の側方図であり、図９は、図８の跳ね上げベッドの跳ね上げ時の長手方向断面図である。また、図１０は、マットレスを外した状態での、図８の跳ね上げベッドの跳ね上げ時の長手方向断面図である。
【０００４】
図８乃至図１０に示すように、従来の跳ね上げベッドは、略直方体状のマットレス６０が載置される床板５１と、当該床板５１を支持可能で平面視で前後左右に配置された枠壁５２と、床板５１の下面の左側領域及び右側領域と左右の枠壁５２とをそれぞれ接続する一対の伸縮自在のシリンダー部材５３（ダンパーとも呼ぶ）と、床板５１の下面の左側領域及び右側領域と左右の枠壁５２との間にそれぞれ設けられ、シリンダー部材５３の伸縮動作と協働して床板５１の跳ね上げ動作及び戻し動作を支援（実現）する一対のリンクアーム機構５４と、を備えている。図１１は、通常時のシリンダー部材５３及びリンクアーム機構５４を示す図である。
【０００５】
図９に示すように、従来の跳ね上げベッドは、足元側を大きく開口して収納物の出し入れを可能とするべく、マットレス６０の上面の頭側端縁Ｅを中心軸として、床板５１及びマットレス６０が一体的に回動するようになっている。あるいは、図１０に示すように、マットレス６０が床板５１上から取り外された状態で、床板５１の位置姿勢が変化するようになっている。
【０００６】
以上のような従来の跳ね上げベッドは、足元側が大きく開口して、マットレスの下方空間を収納場所として効率良く利用することができる。
【０００７】
なお、跳ね上げベッド装置の細部の改良発明として、特許文献１乃至特許文献５が公開されている。
【先行技術文献】
【特許文献】
【０００８】
【特許文献１】特開２００８−１７３３９４
【特許文献２】特開２００８−１７３４００
【特許文献３】特開２００８−１７３４０１
【特許文献４】特開２００８−１７３４０２
【特許文献５】特開２００８−１７３４０３
【発明の概要】
【発明が解決しようとする課題】
【０００９】
従来の跳ね上げベッドは、前述した通り、床板５１に対してマットレス６０を取り外すことができるようになっている。これは、床板５１を含むベッドの構造体に対してマットレス６０の方が相対的に製品寿命が短いため、マットレス６０だけの交換を可能にする上で非常に有効な構成である。また、ベッド利用者の体重によるマットレス６０の変形量について位置毎のバランスを取るべく、所定期間毎に（例えば１週間毎に）マットレス６０の向き（表裏、前後）を変えることを希望する消費者にとっては、床板５１に対してマットレス６０を取り外すことができることは、ベッドに求められる基本的機能とも言えるものであった。
【００１０】
しかしながら、本件発明者は、跳ね上げベッドの改良可能性について検討する中で、以下のような知見を得るに至った。
【００１１】
すなわち、従来の跳ね上げベッドは、床板５１に対するマットレス６０の取り外しを許容する構成を前提としているが故に、図１０に示すように、マットレス６０が取り外された状態においても床板５１の跳ね上げ動作／戻し動作が安全に実施される必要があった。そのため、床板５１について、所定の剛性（丈夫の程度）が求められることとなり、結果的に床板の重量が大きくなっていた（本件出願人の従来製品（商品名：グランスタ）では、図１２に示すようにＬＶＬ芯材５１ａとハニカムパネル５１ｂとから製造されたものがＭＤＦ（Medium Density Fiberboard）でサンドイッチ状に挟まれていて、重量は３４ｋｇもあった）。
【００１２】
そこで、本件発明者は、所定期間毎にマットレス６０の向き（表裏、前後）を変えることを希望する消費者ニーズについては切り捨て、床板とマットレスとを一体化することによって床板の軽量化を図れないか、鋭意検討を重ねてきた。その結果、床板とマットレスとを一体化することによって、当該床板と当該マットレスとの合計重量を、従来の床板５１の重量（３４ｋｇ）よりも顕著に軽減させることに成功した。
【００１３】
本発明は、以上の知見に基づいて創案されたものである。本発明の目的は、総重量が大幅に軽減された跳ね上げベッドを提供することである。
【課題を解決するための手段】
【００１４】
本発明は、下面側に床板が固定されたマットレスと、前記床板が固定された前記マットレスを支持可能な一対の側方壁と、前記床板の下面の左側領域及び右側領域と前記一対の側方壁との間をそれぞれ接続する一対の伸縮部材と、前記床板の下面の左側領域及び右側領域と前記一対の側方壁との間にそれぞれ設けられ、前記一対の伸縮部材の伸縮動作と協働して前記床板の跳ね上げ動作及び戻し動作を支援する一対のリンクアーム機構と、を備えたことを特徴とする跳ね上げベッドである。
【００１５】
本発明によれば、床板とマットレスとが一体化されており、床板に求められる剛性が低くてもよいため、床板とマットレスとの合計重量を従来比で顕著に低減することができる。
【００１６】
また、本発明のコンセプトは、側方側（サイド側）が大きく開口する、いわゆる横跳ね上げタイプにおいても有効である。
【００１７】
この場合、本発明は、下面側に床板が固定されたマットレスと、前記床板が固定された前記マットレスを支持可能な一対の側方壁と、前記一対の側方壁の前方側に配置された前方壁と、前記一対の側方壁の後方側に配置された後方壁と、前記床板の下面の前側領域及び後側領域と前記前方壁及び前記後方壁との間をそれぞれ接続する一対の伸縮部材と、前記床板の下面の前側領域及び後側領域と前記前方壁及び前記後方壁との間にそれぞれ設けられ、前記一対の伸縮部材の伸縮動作と協働して前記床板の跳ね上げ動作及び戻し動作を支援する一対のリンクアーム機構と、を備えたことを特徴とする跳ね上げベッドである。
【００１８】
このような横跳ね上げタイプの跳ね上げベッドにおいても、床板とマットレスとが一体化されており、床板に求められる剛性が低くてもよいため、床板とマットレスとの合計重量を従来比で顕著に低減することができる。
【００１９】
床板は、例えば、マットレスの下面側に接着剤によって固定されている。あるいは、床板は、例えば、マットレスの下面側にネジ部材によって固定されている。あるいは、床板は、例えば、マットレスの下面側にＵ字タッカーによって固定されている。
【００２０】
より具体的には、マットレスがコイルマットレスである場合、床板は、マットレス内部の枠線部材や外側コイルに対して、Ｕ字タッカーで固定されることが好ましい。
【００２１】
なお、床板が固定される相手方は、マットレス内部にある剛性の高い部材に限定されず、マットレスを覆う表面生地であってもよい。
【００２２】
床板は、求められる剛性が低くてもよいため、マットレスの下面を完全に覆い隠すような態様である必要がなく、例えば格子状に組み付けられた板材で構成される。要するに、当該床板上に載せられるマットレス（内蔵コイル数、重量、デザインなど）が予め決まっているので、軽量化を図りつつ強度的にもデザイン的にも最適な床板を採用することができる（逆に言えば、従来のように、広範囲のマットレス（ないし布団）に対応することは困難である）。
【００２３】
より具体的には、マットレスがボンネルコイル内蔵型のマットレスである場合、ボンネルコイル同士が互いに連結されているため、床板が完全な面板でなくても一体性を損なうことがない。従って、格子状に組み付けられた板材で床板を構成することが可能である。
【００２４】
マットレスがポケットコイル内蔵型のマットレスである場合や、ノンコイル型のマットレス（例：ウレタンマットレス）である場合にも、格子状に組み付けられた板材で床板を構成することは可能であるが、ボンネルコイル内蔵型の場合よりも格子の密度を高くしておくほうが一体性を維持しやすい。
【００２５】
また、マットレスと床板とを一体化（固定）することにより、マットレスに求められる剛性も低くてよくなる。このため、マットレスについても、コストダウンと軽量化を実現することができる。
【００２６】
床板としては、格子状に組み付けられた板材の他、そのような板材をＭＤＦ等でサンドイッチしたものや、そのような板材の上面または下面に面材を付加したもの等が、適宜に採用され得る。
【００２７】
本件発明者が実際に製造した試作品では、床板を含むマットレスの重量は２５ｋｇであったが、床板を含むマットレスの重量が３０ｋｇ未満であれば、従来比で顕著に有用であると言える。
【００２８】
更に本件発明者は、床板とマットレスとが一体化されていると、頭側（前方側）のベッドシーツの端縁部をマットレスの下方に引っ掛けることが難しいことを知見した。この問題に対処するには、側方壁の上面の前方側領域に、ベッドメイク用の切欠を設けておくとよい。ベッドメイク用の切欠は、好ましくは、側方壁の上面からの高さが１０ｍｍ〜４０ｍｍであり、側方壁の前方側端縁からの長さが１０ｍｍ〜８０ｍｍである。
【００２９】
また、一般には、側方壁の前方側には、ヘッドボードが隣接して配置される。この場合、頭側（前方側）のベッドシーツの端縁部をマットレスの下方に引っ掛ける作業を更に容易にするべく、ヘッドボードとマットレスとの間に５ｍｍ〜３０ｍｍのベッドメイク用隙間が設けられていることが好ましい。
【発明の効果】
【００３０】
本発明によれば、床板とマットレスとが一体化されており、床板に求められる剛性が低くてもよいため、床板とマットレスとの合計重量を従来比で顕著に低減することができる。
【図面の簡単な説明】
【００３１】
【図１】本発明の一実施の形態の跳ね上げベッドの通常時の側方図である。
【図２】図１の跳ね上げベッドの跳ね上げ時の長手方向断面図である。
【図３】図１の跳ね上げベッドの跳ね上げ時の斜視図である。
【図４】図１の跳ね上げベッドにおいて、通常時のシリンダー部材及びリンクアーム機構を示す図である。
【図５】図１の跳ね上げベッドにおける床板の構造を示す概略図である。
【図６】本発明の一実施の形態による横跳ね上げタイプの跳ね上げベッドの通常時の側方図である。
【図７】図６の跳ね上げベッドの跳ね上げ時の短手方向断面図である。
【図８】従来の跳ね上げベッドの通常時の側方図である。
【図９】図８の跳ね上げベッドの跳ね上げ時の長手方向断面図である。
【図１０】マットレスを外した状態での、図８の跳ね上げベッドの跳ね上げ時の長手方向断面図である。
【図１１】図８の跳ね上げベッドにおいて、通常時のシリンダー部材及びリンクアーム機構を示す図である。
【図１２】図８の跳ね上げベッドにおける床板の構造を示す概略図である。
【発明を実施するための形態】
【００３２】
以下に、添付の図面を参照して、本発明の実施の形態を詳細に説明する。
【００３３】
図１は、本発明の一実施の形態の跳ね上げベッドの通常時の側方図であり、図２は、図１の跳ね上げベッドの跳ね上げ時の側方図であり、図３は、図１の跳ね上げベッドの跳ね上げ時の斜視図であり、図４は、図１の跳ね上げベッドにおいて、通常時のシリンダー部材及びリンクアーム機構を示す図であり、図５は、図１の跳ね上げベッドにおける床板の構造を示す概略図である。
【００３４】
図１乃至図５に示すように、本実施の形態の跳ね上げベッド１０では、略直方体状のマットレス２０の下面側に床板１１がＵ字タッカーで固定されている。床板１１を含まないマットレス２０のサイズは、縦１９３０ｍｍ、横９５０ｍｍ、 厚み１５０ｍｍであり、重量は１５ｋｇである。
【００３５】
本実施の形態の床板１１は、図５に示すように、格子状に組み付けられた板材で構成されている。床板１１は、前後左右の外枠が、幅２ｃｍ、高さ５ｃｍの縦板１１ａと、幅７ｃｍ、高さ１．７ｃｍの横板１１ｂと、からなっており、全体のサイズは、縦１９３０ｍｍ、横９５０ｍｍである。そして、当該外枠の内側に、長手方向に伸びる１本の中央板片１１ｃと、短手方向に延びる７本の短手板片１１ｄと、が組み付けられている。中央板片１１ｃ及び短手板片１１ｄは、それぞれ、幅７ｃｍ、高さ１．７ｃｍである。更に、外枠のコーナー部には、直角二等辺三角形の補強板片１１ｅが設けられている。床板１１の総重量は、１０ｋｇである。
【００３６】
前述のように、本実施の形態の床板１１は、マットレス２０の下面側にＵ字タッカーで固定されているが、接着剤やネジ部材等が併用されてもよい。あるいは、Ｕ字タッカーを用いることなく、接着剤やネジ部材等のみによって固定されていてもよい。
【００３７】
図１乃至図４に戻って、本実施の形態の跳ね上げベッド１０は、マットレス２０に固定された床板１１が載置され当該床板１１及びマットレス２０を支持可能な、一対の側方壁１２を有している。また、本実施の形態の跳ね上げベッド１０では、一対の側方壁１２の足元側（後方側）に後方壁３２が固定されていて、一対の側方壁１２と後方壁３２とは平面視でコ字状になっている。
【００３８】
また、本実施の形態の跳ね上げベッド１０では、側方壁１２の上面の前方側領域に、ベッドメイク用の切欠１６が設けられている。当該ベッドメイク用の切欠１６は、本実施の形態では、側方壁１２の（他の部分の）上面からの高さが３０ｍｍであり、側方壁１２の（他の部分の）前方側端縁からの長さが７０ｍｍである。
【００３９】
また、本実施の形態の跳ね上げベッド１０では、側方壁１２の前方側にヘッドボード１８が隣接して配置されている。そして、ヘッドボード１８とマットレス２０との間に、２０ｍｍのベッドメイク用隙間１９が設けられている。
【００４０】
そして、床板１１の下面の左側領域及び右側領域と一対の側方壁１２との間をそれぞれ接続するように、一対の伸縮部材１３が設けられている。一対の伸縮部材１３は、いわゆるシリンダー部材（ダンパー部材とも呼ばれる）である。一対の伸縮部材１３の構成自体は、周知のものである。
【００４１】
また、図２乃至図４に示すように、床板１１の下面の左側領域及び右側領域（一対の伸縮部材１３が接続されている位置よりも前方側）と一対の側方壁１２との間に、一対の伸縮部材１３の伸縮動作と協働して床板１１の跳ね上げ動作及び戻し動作を支援する一対のリンクアーム機構１４が設けられている。一対のリンクアーム機構１４についても、その構成自体は周知のものである。
【００４２】
次に、以上のような本実施の形態の作用について説明する。
【００４３】
図２及び図３に示すように、本実施の形態の跳ね上げベッド１０は、足元側を大きく開口して収納物の出し入れを可能とするべく、マットレス２０の上面の頭側端縁Ｅを中心軸として、床板１１及びマットレス２０が一体的に回動する。これにより、マットレス２０の下方空間を収納場所として効率良く利用することができる。
【００４４】
一方、本実施の形態の跳ね上げベッド１０は、所定期間毎にマットレス２０の向き（表裏、前後）を変えることができない。本実施の形態の跳ね上げベッド１０は、そのようなニーズを満たすことを断念するものであるが、むしろその点に本発明の革新的要素がある。そのようなニーズを断念する代わりに、本実施の形態の跳ね上げベッド１０は、床板１１とマットレス２０とを一体化して床板単独での剛性を低くできるという特徴を活かし、床板とマットレスとの合計重量を従来比で顕著に低減している（本実施の形態では２５ｋｇ、従来は床板だけで３４ｋｇ）。
【００４５】
また、本実施の形態の跳ね上げベッド１０は、側方壁１２の上面の前方側領域にベッドメイク用の切欠１６が設けられているため、頭側（前方側）のベッドシーツの端縁部をマットレス２０の下方に引っ掛けることが難しいということもない。更に、ヘッドボード１８とマットレス２０との間にベッドメイク用隙間１９が設けられていることにより、頭側（前方側）のベッドシーツの端縁部をマットレスの下方に引っ掛ける作業がより一層容易になっている。
【００４６】
次に、図６を参照して、横跳ね上げタイプの実施の形態について説明する。本実施の形態においても、略直方体状のマットレス１２０の下面側に床板１１１がＵ字タッカーで固定されている。床板１１１を含まないマットレス１２０は、マットレス２０と同様に、縦１９３０ｍｍ、横９５０ｍｍ、 厚み１５０ｍｍであり、重量は１５ｋｇである。また、本実施の形態の床板１１１は、図５に示した床板１１と同様である。
【００４７】
図６に示すように、本実施の形態の跳ね上げベッド１１０は、マットレス１２０に固定された床板１１１が載置され当該床板１１１及びマットレス１２０を支持可能な、一対の側方壁１１２を有している。また、本実施の形態の跳ね上げベッド１１０では、一対の側方壁１１２の足元側（後方側）に後方壁１３２が固定されていて、一対の側方壁１１２の頭側（前方側）に前方壁１３３が固定されていて、一対の側方壁１１２と後方壁１３２と前方壁１３３とは平面視で長方形状になっている。
【００４８】
また、本実施の形態の跳ね上げベッド１１０においても、側方壁１１２の上面の前方側領域に、ベッドメイク用の切欠１１６が設けられている。当該ベッドメイク用の切欠１１６は、本実施の形態においても、側方壁１１２の（他の部分の）上面からの高さが３０ｍｍであり、側方壁１１２の（他の部分の）前方側端縁からの長さが７０ｍｍである。
【００４９】
また、本実施の形態の跳ね上げベッド１１０でも、側方壁１１２の前方側にヘッドボード１１８が隣接して配置されている。そして、ヘッドボード１１８とマットレス１２０との間に、２０ｍｍのベッドメイク用隙間１１９が設けられている。
【００５０】
そして、床板１１１の下面の前側領域及び後側領域と前方壁１３３及び後方壁１３２との間をそれぞれ接続するように、一対の伸縮部材が設けられている。一対の伸縮部材は、いわゆるシリンダー部材１１３（ダンパー部材とも呼ばれる）である。そして、床板１１１の下面の前側領域及び後側領域（一対の伸縮部材が接続されている位置よりも奥側）と前方壁１３３及び後方壁１３２との間に、一対の伸縮部材の伸縮動作と協働して床板１１１の跳ね上げ動作及び戻し動作を支援する一対のリンクアーム機構１１４が設けられている。
【００５１】
図６に示すように、本実施の形態の跳ね上げベッド１１０は、側方側を大きく開口して収納物の出し入れを可能とするべく、マットレス１２０の上面の奥側端縁を中心軸として、床板１１１及びマットレス１２０が一体的に回動する。これにより、マットレス１２０の下方空間を収納場所として効率良く利用することができる。
【００５２】
一方、本実施の形態の跳ね上げベッド１１０も、所定期間毎にマットレス１２０の向き（表裏、前後）を変えることができない。本実施の形態の跳ね上げベッド１１０は、そのようなニーズを満たすことを断念するものであるが、むしろその点に本発明の革新的要素がある。そのようなニーズを断念する代わりに、本実施の形態の跳ね上げベッド１１０は、床板１１１とマットレス１２０とを一体化して床板単独での剛性を低くできるという特徴を活かし、床板とマットレスとの合計重量を従来比で顕著に低減している（本実施の形態では２５ｋｇ、従来は床板だけで３４ｋｇ）。
【００５３】
また、本実施の形態の跳ね上げベッド１１０は、側方壁１１２の上面の前方側領域にベッドメイク用の切欠１１６が設けられているため、頭側（前方側）のベッドシーツの端縁部をマットレス１２０の下方に引っ掛けることが難しいということもない。更に、ヘッドボード１１８とマットレス１２０との間にベッドメイク用隙間１１９が設けられていることにより、頭側（前方側）のベッドシーツの端縁部をマットレスの下方に引っ掛ける作業がより一層容易になっている。
【００５４】
なお、本実施の形態の跳ね上げベッド１１０は、図７に示すように、当該ベッドの奥側を部屋の壁際に設置する際の便宜のため、例えば奥側の側方壁１１２の上面に、ベッドメイク用の側方切欠２１６が設けられていることが好ましい。当該ベッドメイク用の側方切欠２１６も、側方壁１１２の（他の部分の）上面からの高さが３０ｍｍであり、側方壁１１２の奥側端縁からの長さが７０ｍｍである。更に、部屋の壁Ｗと通常時のマットレス１２０との間に、２０ｍｍのベッドメイク用隙間が設けられていることが好ましい。
【符号の説明】
【００５５】
１０  跳ね上げベッド
１１  床板
１１ａ  外枠の縦板
１１ｂ  外枠の横板
１１ｃ  中央板片
１１ｄ  短手板片
１１ｅ  補強板片
１２  側方壁
１３  一対の伸縮部材
１４  一対のリンクアーム機構
１６  ベッドメイク用の切欠
１８  ヘッドボード
１９  ベッドメイク用の隙間
２０  マットレス
３２  後方壁
１１０  跳ね上げベッド（横跳ね上げタイプ）
１１１  床板
１１２  側方壁
１１３  一対の伸縮部材
１１４  一対のリンクアーム機構
１１６  ベッドメイク用の切欠
１１８  ヘッドボード
１１９  ベッドメイク用の隙間
１２０  マットレス
１３２  後方壁
１３３  前方壁
２１６  ベッドメイク用の側方切欠
【図１】
2017099702.tif 000003
【図２】
2017099702.tif 000004
【図３】
2017099702.tif 000005
【図４】
2017099702.tif 000006
【図５】
2017099702.tif 000007
【図６】
2017099702.tif 000008
【図７】
2017099702.tif 000009
【図８】
2017099702.tif 000010
【図９】
2017099702.tif 000011
【図１０】
2017099702.tif 000012
【図１１】
2017099702.tif 000013
【図１２】
2017099702.tif 000014